(57)【要約】【課題】遊技盤の収納位置が遊技機毎にバラつく不具合を抑制することができ、遊技球の所謂ムラ飛びを抑えることができる遊技機を提供する。【解決手段】前面枠３と、該前面枠３に収納され、表面に遊技領域６が区画形成された遊技盤５と、前面枠３の裏面側に開閉可能な状態で軸着された裏機構盤３２とを備えたパチンコ遊技機において、前面枠３は、遊技盤５を当該前面枠３の裏面側から着脱可能な状態で収納する遊技盤収納部２２を備え、該遊技盤収納部２２の下部には、遊技盤５を載置する載置部を設け、裏機構盤３２は、横長なタンク装着部９５と、該タンク装着部９５に装着され、遊技球を貯留可能な球貯留タンク９１とを備え、タンク装着部９５には、遊技盤５の上縁部に当接して遊技盤５を載置部側へ押圧可能な装着側押圧部１２５を設けた。【選択図】図９
2008272017.tif 000002
【特許請求の範囲】
【請求項１】
前面枠と、該前面枠に収納され、表面に遊技領域が区画形成された遊技盤と、前面枠の裏面側に開閉可能な状態で軸着された裏機構盤と、を備えた遊技機において、
前記前面枠は、遊技盤を当該前面枠の裏面側から着脱可能な状態で収納する遊技盤収納部を備え、該遊技盤収納部の下部には、遊技盤を載置する載置部を設け、
前記裏機構盤は、横長なタンク装着部と、該タンク装着部に装着され、遊技球を貯留可能な球貯留タンクと、を備え、
前記タンク装着部には、遊技盤の上縁部に当接して遊技盤を載置部側へ押圧可能な装着側押圧部を設けたことを特徴とする遊技機。
【請求項２】
前記タンク装着部には係合突起を突設し、
前記前面枠の裏面には、裏機構盤を閉状態に維持可能な動作規制機構を備え、
該動作規制機構は、ベース部と、該ベース部側からタンク装着部側へ出没し、係合突起に係合可能な係合部材と、該係合部材をタンク装着部側へ付勢する付勢部材と、を備え、
前記係合部材のタンク装着部側には、当該係合部材の出没端に向かうにつれて次第に前面枠側へ近づく傾斜当接面を形成し、
前記裏機構盤を開状態から閉状態へ変換すると、係合突起と係合部材の傾斜当接面とが当接し、係合突起が係合部材をタンク装着部とは反対側へ押圧しながら前面枠側へ向けて移動し、
前記係合突起が傾斜当接面から外れて係合部材よりも前面枠寄りに位置すると、係合部材が付勢部材の付勢力によりタンク装着部側へ突出し、係合突起と前後に重なる状態に設定されることを特徴とする請求項１に記載の遊技機。
【請求項３】
前記裏機構盤は、当該裏機構盤の軸着側に配置され、遊技盤の一側を支持可能な機構盤側支持部と、タンク装着部に配置され、遊技盤の表面に当接可能な装着側当接部と、を備え、
前記機構盤側支持部で遊技盤の一側を支持するとともに、遊技盤の表面に装着側当接部を当接し、この状態で遊技盤の他側を遊技盤収納部側へ押圧すると、遊技盤が裏機構盤とともに回動して遊技盤収納部へ収納されるように構成したことを特徴とする請求項２に記載の遊技機。
【請求項４】
前記タンク装着部の裏面側に球貯留タンクを装着し、該球貯留タンクには、遊技盤を裏面側から押圧可能なタンク側押圧部を設け、
前記裏機構盤を閉状態へ変換すると、タンク装着部が遊技盤収納部の上方に位置し、タンク側押圧部が遊技盤の裏面を押圧して遊技盤の収納状態を維持するように構成されたことを特徴とする請求項３に記載の遊技機。
【請求項５】
前記球貯留タンクは、遊技盤の裏面側に当接可能に形成された外側面がタンク側押圧部として機能する第１貯留部と、該第１貯留部に連通し、第１貯留部よりもタンク装着部側に形成された第２貯留部と、を備え、
前記裏機構盤を閉状態へ変換すると、タンク装着部が遊技盤よりも前方に位置し、第２貯留部が遊技盤の上方に位置し、第１貯留部が遊技盤よりも後方に位置してタンク側押圧部により遊技盤を裏面側から押圧するように構成されたことを特徴とする請求項４に記載の遊技機。
【請求項６】
前記前面枠には、遊技領域を前方から被覆可能な内側開閉枠を開閉可能な状態で軸着するとともに、該内側開閉枠を前方から被覆可能な外側開閉枠とを開閉可能な状態で軸着し、
前記前面枠のうち遊技盤の下方には画像表示装置を備え、該画像表示装置には、遊技盤で実行される遊技に関わる画像を表示可能な表示部を前方へ下り傾斜した状態で配置し、
前記内側開閉枠は、遊技領域を透視可能な状態で遊技盤を前方から被覆する内側透明部材を保持し、
前記外側開閉枠は、内側透明部材を介して遊技領域を透視可能な状態で内側開閉枠を前方から被覆する外側透明部材を保持し、
前記内側開閉枠の開閉中心となる内側回動軸を遊技盤と画像表示装置の間に配置し、内側開閉枠を開くと、内側開閉枠の上端部を下端部よりも前方に移動することを特徴とする請求項５に記載の遊技機。
【請求項７】
前記遊技盤は、遊技領域の下端部に遊技球を遊技領域外へ排出するためのアウト口を備え、
前記内側開閉枠は、開状態において遊技球をアウト口へ誘導可能な球誘導部を備えたことを特徴とする請求項６に記載の遊技機。
【請求項８】
前記裏機構盤は、当該裏機構盤の軸着側に配置され、遊技盤の一側を支持可能な機構盤側支持部と、タンク装着部に配置され、遊技盤の表面に当接可能な装着側当接部と、を備え、
前記機構盤側支持部で遊技盤の一側を支持するとともに、遊技盤の表面に装着側当接部を当接し、この状態で遊技盤の他側を遊技盤収納部側へ押圧すると、遊技盤が裏機構盤とともに回動して遊技盤収納部へ収納されるように構成したことを特徴とする請求項１に記載の遊技機。
【発明の詳細な説明】
【技術分野】
【０００１】
本発明は、前面枠と、該前面枠に収納され、前面に遊技領域が区画形成された遊技盤と、前面枠の裏面側に開閉可能な状態で軸着された裏機構盤とを備えたパチンコ遊技機等の遊技機に関する。
【背景技術】
【０００２】
従来の遊技機、例えば、パチンコ遊技機においては、当該パチンコ遊技機を設置島へ設置するための外枠に前面枠を開閉可能に取り付け、該前面枠の遊技盤収納部に遊技盤を着脱可能な状態で収納し、前面枠の裏面側には遊技球を供給するための構成を有する裏機構盤を備えている。そして、裏機構盤（通路構造体）を前面枠の一側に開閉可能な状態で軸着し、裏機構盤を開状態へ変換して遊技盤収納部を開放し、この開放状態で遊技盤を着脱できるようにしたものが提案されている（例えば、特許文献１参照）。
【特許文献１】特開２００２−０３５３４３号公報
【発明の開示】
【発明が解決しようとする課題】
【０００３】
ところで、上記特許文献に記載のパチンコ遊技機において、遊技盤収納部には保持突起を備え、該保持突起を遊技盤に当接して遊技盤の前後方向の位置決めを行うように構成されている。しかしながら、遊技盤の上下方向の位置決めや移動規制、特に上方へずれることを防ぐための構成を備えていない。このため、遊技盤の前面に設けられた遊技領域と、前面枠に設けられ、遊技球を遊技領域へ向けて発射する発射装置との位置関係がずれる虞がある。遊技領域と発射装置との位置関係がずれると、所謂ムラ飛びが発生する不具合、ひいては遊技領域へ飛入した遊技球の入賞率が変わってしまう不具合が発生し易くなる。この結果、同機種のパチンコ遊技機であっても入賞率が異なって遊技者に公平な遊技を提供し難くなる。
【０００４】
本発明は、上記の事情に鑑みてなされたものであり、その目的は、遊技盤の収納位置が遊技機毎にバラつく不具合を抑制することができ、遊技球の所謂ムラ飛びを抑えることができる遊技機を提供しようとするものである。
【課題を解決するための手段】
【０００５】
本発明は、上記目的を達成するために提案されたものであり、請求項１に記載のものは、前面枠と、該前面枠に収納され、表面に遊技領域が区画形成された遊技盤と、前面枠の裏面側に開閉可能な状態で軸着された裏機構盤と、を備えた遊技機において、
前記前面枠は、遊技盤を当該前面枠の裏面側から着脱可能な状態で収納する遊技盤収納部を備え、該遊技盤収納部の下部には、遊技盤を載置する載置部を設け、
前記裏機構盤は、横長なタンク装着部と、該タンク装着部に装着され、遊技球を貯留可能な球貯留タンクと、を備え、
前記タンク装着部には、遊技盤の上縁部に当接して遊技盤を載置部側へ押圧可能な装着側押圧部を設けたことを特徴とする遊技機である。
【０００６】
請求項２に記載のものは、前記タンク装着部には係合突起を突設し、
前記前面枠の裏面には、裏機構盤を閉状態に維持可能な動作規制機構を備え、
該動作規制機構は、ベース部と、該ベース部側からタンク装着部側へ出没し、係合突起に係合可能な係合部材と、該係合部材をタンク装着部側へ付勢する付勢部材と、を備え、
前記係合部材のタンク装着部側には、当該係合部材の出没端に向かうにつれて次第に前面枠側へ近づく傾斜当接面を形成し、
前記裏機構盤を開状態から閉状態へ変換すると、係合突起と係合部材の傾斜当接面とが当接し、係合突起が係合部材をタンク装着部とは反対側へ押圧しながら前面枠側へ向けて移動し、
前記係合突起が傾斜当接面から外れて係合部材よりも前面枠寄りに位置すると、係合部材が付勢部材の付勢力によりタンク装着部側へ突出し、係合突起と前後に重なる状態に設定されることを特徴とする請求項１に記載の遊技機である。
【０００７】
請求項３に記載のものは、前記裏機構盤は、当該裏機構盤の軸着側に配置され、遊技盤の一側を支持可能な機構盤側支持部と、タンク装着部に配置され、遊技盤の表面に当接可能な装着側当接部と、を備え、
前記機構盤側支持部で遊技盤の一側を支持するとともに、遊技盤の表面に装着側当接部を当接し、この状態で遊技盤の他側を遊技盤収納部側へ押圧すると、遊技盤が裏機構盤とともに回動して遊技盤収納部へ収納されるように構成したことを特徴とする請求項２に記載の遊技機である。
【０００８】
請求項４に記載のものは、前記タンク装着部の裏面側に球貯留タンクを装着し、該球貯留タンクには、遊技盤を裏面側から押圧可能なタンク側押圧部を設け、
前記裏機構盤を閉状態へ変換すると、タンク装着部が遊技盤収納部の上方に位置し、タンク側押圧部が遊技盤の裏面を押圧して遊技盤の収納状態を維持するように構成されたことを特徴とする請求項３に記載の遊技機である。
【０００９】
請求項５に記載のものは、前記球貯留タンクは、遊技盤の裏面側に当接可能に形成された外側面がタンク側押圧部として機能する第１貯留部と、該第１貯留部に連通し、第１貯留部よりもタンク装着部側に形成された第２貯留部と、を備え、
前記裏機構盤を閉状態へ変換すると、タンク装着部が遊技盤よりも前方に位置し、第２貯留部が遊技盤の上方に位置し、第１貯留部が遊技盤よりも後方に位置してタンク側押圧部により遊技盤を裏面側から押圧するように構成されたことを特徴とする請求項４に記載の遊技機である。
【００１０】
請求項６に記載のものは、前記前面枠には、遊技領域を前方から被覆可能な内側開閉枠を開閉可能な状態で軸着するとともに、該内側開閉枠を前方から被覆可能な外側開閉枠とを開閉可能な状態で軸着し、
前記前面枠のうち遊技盤の下方には画像表示装置を備え、該画像表示装置には、遊技盤で実行される遊技に関わる画像を表示可能な表示部を前方へ下り傾斜した状態で配置し、
前記内側開閉枠は、遊技領域を透視可能な状態で遊技盤を前方から被覆する内側透明部材を保持し、
前記外側開閉枠は、内側透明部材を介して遊技領域を透視可能な状態で内側開閉枠を前方から被覆する外側透明部材を保持し、
前記内側開閉枠の開閉中心となる内側回動軸を遊技盤と画像表示装置の間に配置し、内側開閉枠を開くと、内側開閉枠の上端部を下端部よりも前方に移動することを特徴とする請求項５に記載の遊技機である。
【００１１】
請求項７に記載のものは、前記遊技盤は、遊技領域の下端部に遊技球を遊技領域外へ排出するためのアウト口を備え、
前記内側開閉枠は、開状態において遊技球をアウト口へ誘導可能な球誘導部を備えたことを特徴とする請求項６に記載の遊技機である。
【００１２】
請求項８に記載のものは、前記裏機構盤は、当該裏機構盤の軸着側に配置され、遊技盤の一側を支持可能な機構盤側支持部と、タンク装着部に配置され、遊技盤の表面に当接可能な装着側当接部と、を備え、
前記機構盤側支持部で遊技盤の一側を支持するとともに、遊技盤の表面に装着側当接部を当接し、この状態で遊技盤の他側を遊技盤収納部側へ押圧すると、遊技盤が裏機構盤とともに回動して遊技盤収納部へ収納されるように構成したことを特徴とする請求項１に記載の遊技機である。
【発明の効果】
【００１３】
本発明によれば、以下のような優れた効果を奏する。
請求項１に記載の発明によれば、前面枠は、遊技盤を当該前面枠の裏面側から着脱可能な状態で収納する遊技盤収納部を備え、該遊技盤収納部の下部には、遊技盤を載置する載置部を設け、裏機構盤は、横長なタンク装着部と、該タンク装着部に装着され、遊技球を貯留可能な球貯留タンクとを備え、タンク装着部には、遊技盤の上縁部に当接して遊技盤を載置部側へ押圧可能な装着側押圧部を設けたので、遊技盤収納部に収納された遊技盤を安定させることができる。したがって、遊技盤の収納位置が遊技機毎にバラつく不具合を抑制することができ、遊技球の所謂ムラ飛びを抑えることができる。また、装着側押圧部によりタンク装着部を下方から支持することができ、裏機構盤の自重や球貯留タンク内の遊技球の重量で裏機構盤が撓む不都合を抑えることができる。
【００１４】
請求項２に記載の発明によれば、タンク装着部には係合突起を突設し、前面枠の裏面には、裏機構盤を閉状態に維持可能な動作規制機構を備え、該動作規制機構は、ベース部と、該ベース部側からタンク装着部側へ出没し、係合突起に係合可能な係合部材と、該係合部材をタンク装着部側へ付勢する付勢部材とを備え、係合部材のタンク装着部側には、当該係合部材の出没端に向かうにつれて次第に前面枠側へ近づく傾斜当接面を形成し、裏機構盤を開状態から閉状態へ変換すると、係合突起と係合部材の傾斜当接面とが当接し、係合突起が係合部材をタンク装着部とは反対側へ押圧しながら前面枠側へ向けて移動し、係合突起が傾斜当接面から外れて係合部材よりも前面枠寄りに位置すると、係合部材が付勢部材の付勢力によりタンク装着部側へ突出し、係合突起と前後に重なる状態に設定されるので、裏機構盤を簡単に閉状態に維持することができ、遊技機の組立作業や機種交換作業を効率よく行うことができる。
【００１５】
請求項３および請求項８に記載の発明によれば、裏機構盤は、当該裏機構盤の軸着側に配置され、遊技盤の一側を支持可能な機構盤側支持部と、タンク装着部に配置され、遊技盤の表面に当接可能な装着側当接部とを備え、機構盤側支持部で遊技盤の一側を支持するとともに、遊技盤の表面に装着側当接部を当接し、この状態で遊技盤の他側を遊技盤収納部側へ押圧すると、遊技盤が裏機構盤とともに回動して遊技盤収納部へ収納されるように構成したので、遊技盤の収納作業時に遊技盤を支持し続ける負担を軽減することができる。また、遊技盤収納部に遊技盤を収納する作業と裏機構盤を閉状態へ変換する作業とを併せて行うことができ、遊技機の組立作業や機種交換作業の作業効率の向上を一層図ることができる。
【００１６】
請求項４に記載の発明によれば、タンク装着部の裏面側に球貯留タンクを装着し、該球貯留タンクには、遊技盤を裏面側から押圧可能なタンク側押圧部を設け、裏機構盤を閉状態へ変換すると、タンク装着部が遊技盤収納部の上方に位置し、タンク側押圧部が遊技盤の裏面を押圧して遊技盤の収納状態を維持するように構成したので、裏機構盤を閉状態へ変換する動作と、遊技盤の収納状態を維持する動作とを併せて行うことができ、遊技機の組立作業や機種交換作業をさらに効率よく行うことができる。
【００１７】
請求項５に記載の発明によれば、球貯留タンクは、遊技盤の裏面側に当接可能に形成された外側面がタンク側押圧部として機能する第１貯留部と、該第１貯留部に連通し、第１貯留部よりもタンク装着部側に形成された第２貯留部とを備え、裏機構盤を閉状態へ変換すると、タンク装着部が遊技盤よりも前方に位置し、第２貯留部が遊技盤の上方に位置し、第１貯留部が遊技盤よりも後方に位置してタンク側押圧部により遊技盤を裏面側から押圧するように構成したので、遊技盤の後方だけではなく上方にも遊技球を貯留することができ、球貯留タンクにおける遊技球の貯留量の増大を図ることができる。また、遊技盤の周辺の限られた空間を有効に活用することができる。
【００１８】
請求項６に記載の発明によれば、前面枠には、遊技領域を前方から被覆可能な内側開閉枠を開閉可能な状態で軸着するとともに、該内側開閉枠を前方から被覆可能な外側開閉枠とを開閉可能な状態で軸着し、前面枠のうち遊技盤の下方には画像表示装置を備え、該画像表示装置には、遊技盤で実行される遊技に関わる画像を表示可能な表示部を前方へ下り傾斜した状態で配置し、内側開閉枠は、遊技領域を透視可能な状態で遊技盤を前方から被覆する内側透明部材を保持し、外側開閉枠は、内側透明部材を介して遊技領域を透視可能な状態で内側開閉枠を前方から被覆する外側透明部材を保持し、内側開閉枠の開閉中心となる内側回動軸を遊技盤と画像表示装置の間に配置し、内側開閉枠を開くと、内側開閉枠の上端部を下端部よりも前方に移動するので、開放状態の内側開閉枠が表示部を上方から保護する庇部として機能することができる。したがって、内側開閉枠を開放して遊技領域を露出したとしても、遊技領域からこぼれ落ちた遊技球が表示部に衝突することを防ぐことができ、画像表示装置が損傷する不都合を抑えることができる。
【００１９】
請求項７に記載の発明によれば、遊技盤は、遊技領域の下端部に遊技球を遊技領域外へ排出するためのアウト口を備え、内側開閉枠は、開状態において遊技球をアウト口へ誘導可能な球誘導部を備えたので、開放状態の内側開閉枠の上に落下した遊技球をアウト口へ回収することができる。したがって、遊技領域からこぼれ落ちた遊技球が散乱する不都合をなくすことができる。
【発明を実施するための最良の形態】
【００２０】
以下、代表的な遊技機であるパチンコ遊技機を例に挙げて本発明の実施の最良の形態を図面に基づき説明する。図１はパチンコ遊技機の斜視図、図２は前面側を開放した状態のパチンコ遊技機の斜視図、図３は遊技領域を露出した状態のパチンコ遊技機の斜視図である。
パチンコ遊技機１は、図１から図３に示すように、外枠（機枠あるいは本体枠）２の側部（図１中、左側部）に前面枠３を開閉可能に軸着し、この前面枠３のベースとなる略額縁状の前面枠本体４（すなわち前面枠３側）の上部に矩形状の遊技盤５を収納可能とし、該遊技盤５の表面（前面）に遊技領域６を区画形成し、遊技盤５の下方には画像表示装置８を配置（収納）している。また、前面枠本体４の前面側には、遊技領域６を前方から被覆可能な内側開閉枠９を上下方向へ開閉可能な状態で軸着するとともに、該内側開閉枠９および画像表示装置８を前方から被覆可能な外側開閉枠１０を左右方向へ開閉可能な状態で軸着し、外側開閉枠１０の下部には、遊技球を貯留可能な球貯留ユニット１３を備えている。さらに、外側開閉枠１０の下方には棚部１５を前面枠本体４の下部から前方へ突設し，該棚部１５の上面を左右方向の中央部が下方へ凹んだ曲面で形成し、この凹み部に外側開閉枠１０の球貯留ユニット１３を収容するように構成されている。そして、棚部１５の前面の一側（図１中、右側）には、発射装置１６（図５参照）を操作するための発射操作ユニット（発射操作ハンドル）１７を備え、他側（図１中、左側）には遊技演出用ボタン１８を備えている。
【００２１】
前面枠本体４は、大きな矩形状の開口を上寄りに開設した合成樹脂製枠体であり、図２から図５に示すように、開口の上半部分に、遊技盤５と略同じ広さの空間部に設定された遊技盤収納部２２を備え、該遊技盤収納部２２内に遊技盤５を前面枠本体４の裏面側から収納可能とし、遊技盤収納部２２の下部には、遊技盤５の下縁部を載置可能な載置部２３を設けている。さらに、図５に示すように、遊技盤収納部２２の外周部のうち前面枠３の軸着部側（図５中、右側）には、後方から見て逆Ｌ字状の収納壁２４を後方へ延設し、該収納壁２４の下端を載置部２３の側方に配置し、収納壁２４により遊技盤収納部２２内の遊技盤５の縁部、具体的には前面枠３の軸着部寄り（右寄り）に位置する上縁部および側縁部を外方から被覆（あるいは当接）できるように構成されている。そして、遊技盤収納部２２の収納壁２４側（図５中、右側）の上下両隅部には、三角形状の位置規制部２５を設け、該位置規制部２５の裏面に遊技盤５の隅部の表面を当接可能としている。さらに、収納壁２４の上下両側には、遊技盤５の裏面に係止可能な係止部材２６を軸着し、該係止部材２６を回動して縦向き姿勢に変換すると、遊技盤５の裏面に係止して遊技盤５を遊技盤収納部２２内に維持可能とし、横向き姿勢に変換すると、遊技盤５の裏面から外れて遊技盤５を遊技盤収納部２２に対して着脱できるように構成されている。
【００２２】
また、前面枠本体４の開口の下半部分であって遊技盤５の下方には表示装置配置部２７を備え、該表示装置配置部２７に画像表示装置８を配置している。さらに、表示装置配置部２７と棚部１５との間の一側寄り（図２中、左寄り）には、遊技球が１個ずつ通過可能な球送り開口２８を開設し、該球送り開口２８の後方には、球貯留ユニット１３に貯留された遊技球を遊技領域６へ向けて発射可能な発射装置１６を配置している。そして、発射装置１６と球送り開口２８とを球送り流路（図示せず）で連通し、球貯留ユニット１３から球送り開口２８に流下してきた遊技球が球送り流路を通過して発射装置１６へ到達するよう構成されている。また、表示装置配置部２７と棚部１５との間の他側寄り（図２中、右寄り）には球排出口３０を開設している。
【００２３】
そして、図５に示すように、前面枠本体４の裏面の側部、詳しくは遊技盤収納部２２を挟んで収納壁２４とは反対側（図５中、左側）には、前方から見て逆Ｌ字状を呈した裏機構盤３２を前面枠本体４に対して前後方向へ開閉可能な状態で軸着し、裏機構盤３２よりも収納壁２４寄り（図５中、右寄り）の位置には、裏機構盤３２を前面枠本体４に対して閉じた状態に維持可能な動作規制機構３４を備えている。また、裏機構盤３２の下方には縦長な賞球排出路３６および球抜き排出路３７を備え、賞球排出路３６の下端を球排出口３０へ連通し、裏機構盤３２内を賞球として流下してきた遊技球が賞球排出路３６および球排出口３０を通って前面枠３の表側、具体的には外側開閉枠１０の球貯留ユニット１３へ排出できるように構成されている。さらに、球抜き排出路３７の下端をパチンコ遊技機１の外部（例えば、島設備の球回収樋）へ連通し、メンテナンス時などにおいて裏機構盤３２から抜き出された遊技球が球抜き排出路３７を通ってパチンコ遊技機１の外方へ回収できるように構成されている。そして、前面枠本体４の裏面側の下部には排出発射制御装置３９、電源供給装置４０等を設けている。なお、裏機構盤３２および動作規制機構３４については、後で詳細に説明する。
【００２４】
遊技盤５は、図３に示すように、当該遊技盤５の表面（前面）に領域区画部材４３を止着して略半円形状の遊技領域６を区画形成し、遊技領域６の側方（図３中、左側方）には、発射装置１６から発射された遊技球を遊技領域６内へ案内するための円弧状の発射流路４４を形成している。そして、遊技領域６の中央部よりも下寄りの位置には、画像表示装置８で実行される変動表示ゲームを始動するための始動入賞口４５や、変動表示ゲームの大当たり時に遊技球が入賞可能となる大入賞口４６等を配置し、遊技領域６の下端部には、入賞せずに遊技領域６を流下してきた遊技球（アウト球）を遊技領域６の外方へ排出するためのアウト口４７を開設している。
【００２５】
また、遊技盤５の裏面側には、図４および図５に示すように、遊技盤５よりもひと回り小さい略矩形状の球寄せベース５１を装着し、該球寄せベース５１の裏側には遊技制御装置（図示せず）および装飾制御装置５２を装着している。さらに、球寄せベース５１内には、始動入賞口４５や大入賞口４６等に入賞した遊技球（セーフ球）やアウト口４７を通過した遊技球（アウト球）を回収するための球寄せ流路５３を形成している。そして、球寄せベース５１の下端部に球寄せ流路５３の下流開口を開設し、該下流開口を表示装置配置部２７の後方に設けた球回収流路５５へ連通し、球寄せ流路５３および球回収流路５５を介して遊技球をパチンコ遊技機１の外部へ流下できるように構成されている。
【００２６】
画像表示装置８は、図２および図４に示すように、液晶表示器からなる表示部５７と、該表示部５７の後方に配置された表示制御装置５８と、表示部５７の左右両側方に配置され、遊技の進行に伴って音を発生して演出を行うスピーカー５９とを備えて構成されている。そして、表示部５７を前方へ下り傾斜した状態で配置するとともに、表示部５７の傾斜上端を遊技領域６（言い換えると遊技盤５と内側開閉枠９との間の空間）の下端部に隣接する状態、具体的には、遊技領域６内に配置された始動入賞口４５や遊技領域６を流下する遊技球の直下に配置している。なお、表示部５７では、遊技盤５で実行される遊技に関わる画像、例えば始動入賞口４５への入賞に基づいて実行される変動表示ゲームの画像を表示するように設定されている。
【００２７】
次に、内側開閉枠９および外側開閉枠１０について説明する。
内側開閉枠９は、図３および図４に示すように、遊技盤５（または遊技盤収納部２２）よりも僅かに小さい略蒲鉾形状の内側保持フレーム６１を備え、該内側保持フレーム６１の内側には、遊技領域６よりもひと回り大きなガラス板または透明樹脂板で形成された内側透明部材６２を保持し、該内側透明部材６２により遊技領域６を透視可能な状態で遊技盤５を前方から被覆できるように構成されている。そして、閉状態となる縦向き姿勢（図２参照）において下部となる内側保持フレーム６１の縁部（すなわち内側開閉枠９の下部）には、横長な内側ヒンジ機構６３を配置し、該内側ヒンジ機構６３を介して当該内側開閉枠９を前面枠本体４、具体的には載置部２３の前縁部へ軸着し、内側開閉枠９の開閉中心となる内側回動軸ＬＡを遊技盤５と画像表示装置８の間に配置している。
【００２８】
したがって、内側開閉枠９のうち内側透明部材６２を挟んで内側ヒンジ機構６３とは反対側となる端部（図２中、上端部）を内側自由端部９ａとし、該内側自由端部９ａを上下方向へ移動可能としている。さらに、前面枠本体４（前面枠３）に対して横向きの内側回動軸ＬＡを中心にして縦方向（上下方向）へ開閉するように構成されている。具体的には、内側自由端部９ａを遊技盤５の上部の前方に配置して閉状態へ変換し（図２参照）、内側自由端部９ａを下方へ移動して内側ヒンジ機構６３（内側回動軸ＬＡ）よりも前方、言い換えると内側開閉枠９の下端部よりも前方へ配置（移動）して開状態へ変換する（図３および図４参照）。
【００２９】
そして、内側開閉枠９の開状態においては、後方の遊技盤５、詳しくは遊技領域６のアウト口４７へ向けて下り傾斜した姿勢となる。したがって、開放状態の内側開閉枠９が表示部５７を上方から保護する庇部として機能することができる。この結果、メンテナンス作業などにおいて内側開閉枠９を開放して遊技領域６を露出したとしても、遊技領域６からこぼれ落ちた遊技球が表示部５７に衝突することを防ぐことができ、画像表示装置８が損傷する不都合を抑えることができる。さらに、内側透明部材６２のうち遊技領域６に対向し得る裏面が遊技領域６の下部から前方へ延出した姿勢に設定され、遊技球をアウト口４７へ誘導可能な球誘導部６４として機能し、開放状態の内側開閉枠９の上に落下した遊技球をアウト口４７へ回収することができる。このことから、遊技領域６からこぼれ落ちた遊技球が散乱する不都合をなくすことができる。
【００３０】
外側開閉枠１０は、開閉枠本体６７と、該開閉枠本体６７に保持された外側透明部材６８と、開閉枠本体６７の下縁部に配置された球貯留ユニット１３とを備えて構成されており、当該外側開閉枠１０の側部（図１中、左側部）を前面枠本体４の一側（図１中、左側）へ軸着している。開閉枠本体６７は、前面枠本体４と略同じ横幅で形成された枠体であり、左右両側部および上部を前方へ膨出し、開閉枠本体６７の中央部には縦向き長円形の開閉枠開口６９を大きく開設し、該開閉枠開口６９の上縁部を内側開閉枠９の上縁部と略同じ大きさの半円形状に設定している。
【００３１】
外側透明部材６８は、開閉枠開口６９を塞ぐ状態で開閉枠本体６７に保持された透明樹脂製の部材であり、内側透明部材６２を介して遊技領域６を透視可能な状態で内側開閉枠９を前方から被覆できるように構成されている。そして、外側透明部材６８の側方および上方には光拡散レンズ７１を外側透明部材６８の外縁部から前後方向（詳しくは前方）へ延在する状態で備え、光拡散レンズ７１の前縁部を開閉枠開口６９の開口縁へ後方から接続して開閉枠開口６９を後方から閉塞している。さらに、外側透明部材６８の下半部分を前方へ大きく突出し、該突出部７２の上面を前方へ下り傾斜した状態、言い換えると遊技者の顔へ対向する状態に形成し、突出部７２の左右両側には、スピーカー５９の発生音を前方へ透過させるための透音孔７３を開設している。また、開閉枠本体６７の側部（図１中、左側部）には縦長な外側ヒンジ機構７５を配置し、該外側ヒンジ機構７５を介して外側開閉枠１０を前面枠本体４の一側（図２中、左側）へ軸着している。
【００３２】
したがって、外側開閉枠１０のうち外側透明部材６８を挟んで外側ヒンジ機構７５とは反対側となる側端部（図１中、右端部）を外側自由端部１０ａとし、該外側自由端部１０ａを左右方向へ移動可能とし、前面枠本体４（前面枠３）に対して一側（左側）に配置した縦向きの外側回動軸ＬＢ、すなわち内側回動軸ＬＡとは異なる外側回動軸ＬＢを中心にして横方向（左右方向）、言い換えると内側開閉枠９とは異なる回動方向へ回動して開閉するように構成されている。具体的には、外側自由端部１０ａを前面枠本体４の他側（図２中、右側）に当接して閉状態へ変換し（図１参照）、外側自由端部１０ａを前面枠本体４から離して外側ヒンジ機構７５（外側回動軸ＬＢ）よりも前方に配置して開状態へ変換する（図２参照）。
【００３３】
球貯留ユニット１３は、図１に示すように、前方へ膨出した球貯留皿８０を備え、該球貯留皿８０の内部を下方へ凹ませて球貯留空間部８１を形成し、該球貯留空間部８１の後部には、球排出口３０に連通可能な排出連通口８２を開設している。さらに、球貯留皿８０の後部には、球貯留空間部８１から下り傾斜した球整列路８３を設け、該球整列路８３の下流部を上流部よりも絞り込んで遊技球が１個ずつ流下可能な流路幅に設定し、球整列路８３内の遊技球を横一列に整列しながら流下させるように構成されている。また、球整列路８３の下流端には、後方へ下り傾斜する球導出路８４を連通し（図２参照）、該球導出路８４の後端部を外側開閉枠１０の後面側に開放している。そして、外側開閉枠１０を閉じると、球導出路８４の後端部と球送り開口２８とを前後に重ねる状態で連通し、球導出路８４、球送り開口２８および球送り流路を介して、球貯留皿８０内の遊技球を発射装置１６へ供給することができるように構成されている。
【００３４】
次に、前面枠本体４の裏面側に設けられた裏機構盤３２について説明する。
裏機構盤３２は、図６に示すように、当該裏機構盤３２の基部となる機構ベース部９０と、パチンコ遊技機１の外部（具体的にはパチンコ遊技機１が設置される島設備）から供給された遊技球を貯留する球貯留タンク９１と、該球貯留タンク９１内の遊技球を下方へ流下する流下案内路９２と、該流下案内路９２を流下してきた遊技球を排出する球排出装置９３とを備えて構成されている。
【００３５】
機構ベース部９０は、前方から見て逆Ｌ字状を呈する樹脂製の部材であり、当該機構ベース部９０の上部に横長な板状のタンク装着部９５を備え、該タンク装着部９５を遊技盤収納部２２の横幅よりも短い長さに設定している。また、機構ベース部９０の下部には縦長な流路装着部９６を備え、該流路装着部９６をタンク装着部９５の側部（図６（ａ）中、左側）から下方へ延設し、流路装着部９６の下端を載置部２３の側方に配置している。さらに、流路装着部９６の側面に縦長な機構盤ヒンジ部９７を配置し、該機構盤ヒンジ部９７を前面枠本体４の裏側に軸着して、裏機構盤３２を前面枠本体４（詳しくは遊技盤収納部２２）に対して前後方向へ開閉可能としている。言い換えると、裏機構盤３２の軸着側に流路装着部９６を備えている。そして、タンク装着部９５の左右両側方にはブロック状のタンク止着部９８を設け、該タンク止着部９８の間に球貯留タンク９１の一部（具体的には裏機構盤３２の閉状態における球貯留タンク９１の前側部）を挿入し、この状態でタンク装着部９５の裏面側に球貯留タンク９１を装着するように構成されている。なお、動作規制機構３４側（図６（ｂ）中、左側）に配置されたタンク止着部９８には、動作規制機構３４に係合可能な係合突起９９を側方（左側方）へ向けて突設している。
【００３６】
さらに、流路装着部９６の表面（言い換えると遊技盤収納部２２に対向し得る面）には、遊技盤５の一側を支持可能な機構盤側支持部１０２を後方の流下案内路９２側（球排出装置９３側）へ凹ませた状態で配置し、流路装着部９６の裏面には、流下案内路９２と球排出装置９３とを上下に連結した状態で装着している。そして、機構盤側支持部１０２の下端部には、遊技盤５の下縁部へ下方から当接（支持）可能な支持当接部１０３を設け、機構盤側支持部１０２の側部には、遊技盤５の側部へ側方から当接可能な側方当接部１０４を設け、支持当接部１０３および側方当接部１０４を流下案内路９２とは反対側（言い換えると遊技盤収納部２２側）へ延設している。なお、機構盤側支持部１０２は、裏機構盤３２を閉じた状態で遊技盤収納部２２内に位置するように設定されている。さらに、支持当接部１０３は、裏機構盤３２を閉じた状態で載置部２３の横に並んで載置部２３と同一平面上に位置するように設定されている。
【００３７】
球貯留タンク９１は、裏機構盤３２の上部に位置する横長な箱状の部材であり、上面を開放して遊技球を上方の球補給樋１０６（図５参照）から受入可能とし、底部を流路装着部９６側（図６（ａ）中、左側）へ向けて下り傾斜させている。また、裏機構盤３２を閉じた状態で球貯留タンク９１の後側に位置する第１貯留部１０７と、該第１貯留部１０７に連通し、第１貯留部１０７よりもタンク装着部９５側に形成された第２貯留部１０８とを備え、第１貯留部１０７を第２貯留部１０８よりも深く設定している。さらに、第１貯留部１０７の外側面のうち、第１貯留部１０７の底面と第２貯留部１０８の底面との間に形成された外側面を遊技盤５の裏面側へ当接可能とし、この外側面をタンク側押圧部１０９として機能させて遊技盤５を裏面側から押圧できるように構成されている。なお、タンク側押圧部１０９の作用については、後で詳細に説明する。
【００３８】
そして、第１貯留部１０７の底部の傾斜下端には、遊技球が通過可能となるタンク排出路１１１を縦向きで備え、該タンク排出路１１１の下端に流下案内路９２の上流端を連通し、球貯留タンク９１内の遊技球をタンク排出路１１１から流下させて流下案内路９２へ供給するように構成されている。また、球貯留タンク９１の長手方向の両端部（図６（ａ）中、左右両端部）には止着片１１２を外方へ向けて突設し、該止着片１１２をビスなどの止着部材（図示せず）によりタンク止着部９８へ止着して球貯留タンク９１をタンク装着部９５に固定している。
【００３９】
流下案内路９２は、遊技球を流下可能な縦向き流路であり、当該流下案内路９２の上流端をタンク排出路１１１の下端へ接続し、当該流下案内路９２の上流部には、１回の排出動作で排出される個数の遊技球を裏機構盤３２内（具体的には流下案内路９２内および球排出装置９３内）に貯留しているか否かを検出する半端センサ１１５を設けている。また、流下案内路９２のうち半端センサ１１５の下方を分岐し、分岐した一方の流路（賞球案内路１１６）の下端を球排出装置９３の球導入口（図示せず）へ接続し、他方の流路（球抜き案内路１１７）を球排出装置９３と機構盤側支持部１０２との間を通して流路装着部９６の下端に下流端を開放し、該下流端が裏機構盤３２を閉じた状態で球抜き排出路３７の上流端に連通するように構成されている。なお、流下案内路９２の分岐部には、遊技球の流下先を賞球案内路１１６あるいは球抜き案内路１１７に切り換えるための切換操作部１１８を備えている。また、球抜き案内路１１７の機構盤側支持部１０２側をタンク側押圧部１０９と同一平面上に設定している。
【００４０】
球排出装置９３は、その内部に、遊技球を流下可能な遊技球流路を縦向きに形成し、該遊技球流路７７の上流端を当該球排出装置９３の上部に開放して球導入口とし、遊技球流路７７の上下方向の途中にスプロケットあるいは流下規制弁等の球送り部材を臨ませ（いずれも図示せず）、球送り部材の駆動を制御して排出動作を行い、予め設定された個数の遊技球を排出（流下）できるように構成されている。さらに、球排出装置９３の下端に遊技球流路の下流端を開放し、該下流端の下方に縦長な球連通路１１９を設け、裏機構盤３２を閉じた状態で球連通路１１９により球排出装置９３の遊技球流路と賞球排出路３６の上流端とを連通するように構成されている。
【００４１】
また、タンク装着部９５の裏面側には金属板からなる横長な補強部材１２２を設け、該補強部材１２２がタンク装着部９５と球貯留タンク９１との間に配置されるように設定されている。さらに、補強部材１２２の長手方向の両端部には、球貯留タンク９１とタンク止着部９８との間に配置される側方補強部１２３をタンク装着部９５とは反対方向へ延設し、該側方補強部１２３の延設端を側方へ屈曲して屈曲部１２４を形成し、該屈曲部１２４をタンク止着部９８と止着片１１２との間に挟持している。そして、動作規制機構３４側（図６（ｂ）中、左側）の屈曲部１２４には、その下部を前面枠本体４側（前方）へ屈曲して装着側押圧部１２５を形成している。さらに、装着側押圧部１２５と機構盤側支持部１０２の支持当接部１０３との上下方向の間隔を遊技盤５の縦方向の長さ（高さ）に等しく設定して、装着側押圧部１２５が機構盤側支持部１０２に支持された遊技盤５の上縁部に当接するように構成されている。なお、流路装着部９６側（図６（ａ）中、左側）のタンク止着部９８と止着片１１２との間には、機構盤ヒンジ部９７の上部から延設されたヒンジ延設部９７ａを屈曲部１２４とともに挟持している。
【００４２】
次に、動作規制機構３４について説明する。
動作規制機構３４は、図７および図８に示すように、ベース部１４３と、係合突起９９に係合可能な係合部材１４４と、該係合部材１４４を付勢する付勢部材１４５とを備えて構成されており、遊技盤収納部２２の上方に配置されている。ベース部１４３は、前面枠本体４の裏側に止着される部材であり、当該ベース部１４３の内部には横長な空間部１４７を前面枠本体４側およびタンク装着部９５側（裏機構盤３２側）が開放された状態で形成し、前面枠本体４側の開放口には前面枠本体４から突出した突出部１４８を嵌合している（図８（ａ）参照）。また、図７（ａ）に示すように、ベース部１４３の後部には、係合部材１４４の一部を突出可能な突出開口１４９を空間部１４７に連通する状態で開設し、ベース部１４３のうちタンク装着部９５側の開放口（タンク側開放口）１４３ａの上下にはガイド壁１５０をタンク装着部９５側（図７（ａ）中、左側）へ向けて延設し、該ガイド壁１５０の間に係合突起９９を後方から挿脱可能としている。なお、上下のガイド壁１５０の離間距離は、係合突起９９の上下幅よりも広く設定されている。したがって、ガイド壁１５０の間に位置する係合突起９９が上下方向にずれたとしても、ガイド壁１５０に当接することを避けることができ、ガイド壁１５０が破損する不都合、ひいては動作規制機構３４が破損する不都合を阻止することができる。
【００４３】
係合部材１４４は、ベース部１４３内の空間部１４７に突出部１４８の後端面に沿って左右方向へスライド可能な状態で収納されており、タンク装着部９５側の端部（出没端）をタンク側開放口１４３ａを通してベース部１４３側からタンク装着部９５側、具体的には上下のガイド壁１５０の間の空間へ出没可能とし、当該係合部材１４４の前面を係合突起９９に係合可能な係合面１４４ａとしている。また、係合部材１４４のうち空間部１４７側の端部（図７（ａ）中、右端部）に付勢部材１４５の一端を係合し、該付勢部材１４５の他端をベース部１４３のうちタンク装着部９５とは反対側（図７（ａ）中、右側）の内壁に係合して、当該係合部材１４４を常時タンク装着部９５側へ付勢するように構成されている。さらに、係合部材１４４の付勢部材１４５側（図７（ａ）中、右側）には貫通ロッド１５２を横方向へ延設し、該貫通ロッド１５２を付勢部材１４５の中心およびベース部１４３の付勢部材１４５側の側壁部へ貫通して、付勢部材１４５の姿勢、言い換えると付勢部材１４５の付勢方向が横方向からずれる不具合を阻止している。そして、係合部材１４４の後部には、突出開口１４９よりも横幅の狭い係合解除レバー１５３を後方へ延設し、該係合解除レバー１５３を突出開口１４９から突出し、係合解除レバー１５３を操作してタンク装着部９５とは反対側へスライドすると、係合部材１４４をベース部１４３内（空間部１４７内）に引き込ませることができるように構成されている。なお、係合解除レバー１５３を操作していない常態においては、係合解除レバー１５３が突出開口１４９のタンク装着部９５側の縁部に係合し、係合部材１４４がベース部１４３から脱落する不都合を阻止している。
【００４４】
また、係合部材１４４のタンク装着部９５側には、図８（ａ）に示すように、係合部材１４４の出没端に向かうにつれて次第に前面枠３側（前面枠本体４側）へ近づく傾斜当接面１４４ｂを形成し、該傾斜当接面１４４ｂを外方へ向けて緩やかに膨出した曲面に設定している。さらに、係合部材１４４の出没端には、傾斜当接面１４４ｂと係合面１４４ａとを接続する接続曲面１４４ｃをタンク装着部９５側へ膨出した状態で形成し、接続曲面１４４ｃの前側が傾斜当接面１４４ｂの傾斜方向とは反対方向へ傾斜するように構成されている。
【００４５】
このような構成を備えたパチンコ遊技機１において遊技盤５を取り付けるには、まず、前面枠３を外枠２に対して開いて前面枠３（前面枠本体４）の裏面側を露出し、係止部材２６を横向きに回動して遊技盤収納部２２の後方から外す。さらに、動作規制機構３４の係合解除レバー１５３を付勢部材１４５の付勢力に抗して操作して係合部材１４４を係合突起９９の後方から外し、この状態で裏機構盤３２を前面枠本体４に対して開き、遊技盤収納部２２の裏機構盤３２側を開放するとともに裏機構盤３２の機構盤側支持部１０２を露出する。裏機構盤３２を開状態へ変換したならば、遊技盤５の姿勢を調整して遊技領域６側（表側）を前方へ向けた状態とし、この姿勢で遊技盤５を載置部２３へ載置して遊技盤収納部２２へ収納し、係止部材２６を縦向きに回動して遊技盤５の裏面に係止する。すると、遊技盤５は、前方への移動を位置規制部２５により規制され、後方への移動を係止部材２６により規制される。さらに、側方への移動、詳しくは裏機構盤３２の軸着側から離れる方向への移動を収納壁２４により規制される。
【００４６】
遊技盤収納部２２に遊技盤５を収納したならば、裏機構盤３２を回動して開状態から閉状態へ変換する。すると、図８（ｂ）に示すように、係合突起９９と係合部材１４４の傾斜当接面１４４ｂとが当接し、係合突起９９が付勢部材１４５の付勢力に抗して係合部材１４４をタンク装着部９５とは反対側へ押圧し、この押圧を行いながら傾斜当接面１４４ｂを摺動して接続曲面１４４ｃ側、言い換えると前面枠３側（前面枠本体４側）へ向けて移動する。さらに、裏機構盤３２を十分に閉じてタンク装着部９５を前面枠本体４へ当接すると、図８（ｃ）に示すように、係合突起９９が傾斜当接面１４４ｂおよび接続曲面１４４ｃから外れて係合部材１４４よりも前面枠３寄り（前面枠本体４寄り）に位置する。すると、係合部材１４４が付勢部材１４５の付勢力によりタンク装着部９５側へ突出し、係合面１４４ａを係合突起９９へ後方から係合して係合突起９９と前後に重なる状態に設定されて、係合突起９９およびタンク装着部９５の後方への移動を規制する。この結果、裏機構盤３２を動作規制機構３４により閉状態に維持することができる。したがって、裏機構盤３２を簡単に閉状態に維持することができ、パチンコ遊技機１の組立作業や機種交換作業を効率よく行うことができる。
【００４７】
なお、係合部材１４４の接続曲面１４４ｃの前側を傾斜当接面１４４ｂの傾斜方向とは反対方向へ傾斜させているので、係合部材１４４は、係合突起９９が接続曲面１４４ｃから外れる直前において、接続曲面１４４ｃの前側に沿って僅かにタンク装着部９５側へ移動する。したがって、係合部材１４４が急激にタンク装着部９５側へ移動し始めることを阻止することができ、係合部材１４４の移動に基づく衝撃、具体的には係合部材１４４の係合解除レバー１５３がタンク装着部９５側の縁部に衝突して生じる衝撃を小さく抑えることができる。これにより、動作規制機構３４が損傷する不都合を抑制することができる。
【００４８】
また、閉状態の裏機構盤３２は、タンク装着部９５を遊技盤収納部２２の上方に位置させ、タンク側押圧部１０９を遊技盤５の裏面の上部へ当接して遊技盤５を裏面側から前方へ押圧するとともに、装着側押圧部１２５を遊技盤５の上縁部へ当接して下方へ押圧する。さらに、遊技盤５のうち裏機構盤３２の軸着側（図５中、左側）に機構盤側支持部１０２を後方から被覆して嵌合し、支持当接部１０３により遊技盤５の下端を支持するとともに、側方当接部１０４を遊技盤５の側方に配置する。この結果、遊技盤５は、後方への移動をタンク側押圧部１０９、流路装着部９６、係止部材２６により規制され、左右方向への移動を側方当接部１０４および収納壁２４により規制され、上下方向への移動を装着側押圧部１２５、載置部２３、支持当接部１０３により規制される。したがって、裏機構盤３２を閉じると、遊技盤収納部２２における遊技盤５の収納状態を維持することができる。これにより、裏機構盤３２を閉状態へ変換する動作と、遊技盤５の収納状態を維持する動作とを併せて行うことができ、パチンコ遊技機１の組立作業や機種交換作業をさらに効率よく行うことができる。
【００４９】
そして、裏機構盤３２を閉じた閉状態では、図９（ａ）に示すように、タンク装着部９５が遊技盤５よりも前方に位置し、第２貯留部１０８が遊技盤５の上方に位置し、第１貯留部１０７が遊技盤５よりも後方に位置する。したがって、遊技盤５の後方だけではなく上方にも遊技球を貯留することができ、球貯留タンク９１における遊技球の貯留量の増大を図ることができる。また、遊技盤５の周辺の限られた空間を有効に活用することができる。
【００５０】
さらに、裏機構盤３２は、図９（ｂ）に示すように、当該裏機構盤３２の自重をタンク装着部９５、補強部材１２２、屈曲部１２４を通じて装着側押圧部１２５へ伝達して、該装着側押圧部１２５により遊技盤５を下方へ押圧する。また、球貯留タンク９１に遊技球を貯留すれば、裏機構盤３２の自重だけではなく遊技球の重さをも押圧力として利用して、遊技盤５を下方の載置部２３へ押圧する。したがって、遊技盤収納部２２に収納された遊技盤５を安定させることができる。これにより、パチンコ遊技機１毎に遊技盤５の収納位置（詳しくは発射流路４４の位置）が発射装置１６に対してバラつく不具合を抑制することができ、遊技球の所謂ムラ飛びを抑えることができる。また、装着側押圧部１２５によりタンク装着部９５を下方から支持することができ、裏機構盤３２の自重や球貯留タンク９１内の遊技球の重量で裏機構盤３２が撓む不都合を抑えることができる。
【００５１】
なお、遊技盤５を取り外すには、動作規制機構３４の係合解除レバー１５３を付勢部材１４５の付勢力に抗してタンク装着部９５と反対側へ移動し、係合部材１４４を係合突起９９の後方から外す。さらに、裏機構盤３２を後方へ回動する。すると、裏機構盤３２が開状態へ変換し、タンク側押圧部１０９、装着側押圧部１２５、流路装着部９６、側方当接部１０４、支持当接部１０３が遊技盤５から外れる。そして、係止部材２６を横向きに回動して遊技盤５の後方から外せば、遊技盤５を後方へ取り出すことができる。
【００５２】
ところで、上記実施形態では、遊技盤５を直接遊技盤収納部２２へ収納して前面枠本体４に取り付けるように構成されたが、本発明はこれに限定されない。例えば、図１０および図１１に示す第２実施形態では、基本的な構成は第１実施形態と同じであるが、遊技盤５を開状態の裏機構盤３２で支持し、この状態で裏機構盤３２を閉状態へ変換して遊技盤５を遊技盤収納部２２へ収納するように構成された点で異なる。具体的に説明すると、第２実施形態における裏機構盤３２は、図１０（ａ）に示すように、タンク装着部９５に装着側当接部１５６を備えるとともに流路装着部９６に表面当接片１５７を備え、装着側当接部１５６および表面当接片１５７を遊技盤５の表面に当接可能としている。
【００５３】
装着側当接部１５６は、装着側押圧部１２５の前面枠本体４側の端部を載置部２３側（下方）へ屈曲して形成されており、当該装着側当接部１５６とタンク側押圧部１０９との前後方向の離間距離を遊技盤５の厚さよりも僅かに広い寸法に設定し（図１０（ｂ）参照）、装着側当接部１５６が機構盤側支持部１０２に支持された遊技盤５の表面に当接するように構成されている。また、表面当接片１５７は、支持当接部１０３と側方当接部１０４とにより形成される隅部に立設されており、当該表面当接片１５７と球抜き案内路１１７との離間距離を遊技盤５の厚さよりも僅かに広い寸法に設定している。
【００５４】
このような構成を備えた第２実施形態のパチンコ遊技機１において遊技盤５を取り付けるには、まず、図１１（ａ）に示すように、前面枠３を外枠２に対して開いて前面枠３（前面枠本体４）の裏面側を露出し、係止部材２６を横向きに回動して遊技盤収納部２２の後方から外す。さらに、動作規制機構３４の係合解除レバー１５３を付勢部材１４５の付勢力に抗して操作して係合部材１４４を係合突起９９の後方から外し、この状態で裏機構盤３２を前面枠本体４に対して開き、遊技盤収納部２２の裏機構盤３２側を開放するとともに機構盤側支持部１０２を露出する。機構盤側支持部１０２を露出したならば、遊技盤５の姿勢を調整して遊技領域６側（表側）がタンク装着部９５側に位置するとともに球寄せベース５１側（裏側）が球貯留タンク９１側に位置する姿勢に設定する。この姿勢で遊技盤５の上部を装着側当接部１５６と球貯留タンク９１との間に差し入れ（図１１（ａ）参照）、装着側当接部１５６を遊技盤５の表面へ当接し、装着側押圧部１２５を遊技盤５の上縁部に当接する。さらに、遊技盤５を球貯留タンク９１（タンク装着部９５）の長手方向に沿って流路装着部９６側へスライドして、遊技盤５の側部を球抜き案内路１１７と表面当接片１５７との間に差し入れ、遊技盤５の側縁を機構盤側支持部１０２の側方当接部１０４に当接するとともに、遊技盤５の側部寄りの下縁部を支持当接部１０３に載置する。この結果、遊技盤５の一側が機構盤側支持部１０２により支持される（図１１（ｂ）参照）。このことから、遊技盤５の収納作業時に遊技盤５の全体を支持し続ける負担を軽減することができる。
【００５５】
装着側当接部１５６を遊技盤５の表面へ当接するとともに遊技盤５を機構盤側支持部１０２で支持したならば、この状態で遊技盤５の他側を遊技盤収納部２２側へ押圧する。すると、この押圧力が装着側当接部１５６を介して裏機構盤３２に伝達し、遊技盤５が機構盤ヒンジ部９７を回動中心として裏機構盤３２とともに回動して遊技盤収納部２２へ収納される。具体的には、遊技盤５の他側が収納壁２４の内側へ嵌合し、この他側の上下両隅部の表面が位置規制部２５へ当接し、遊技盤５の下縁部のうち支持当接部１０３から外れている箇所が載置部２３に載置される。さらに、係合突起９９が付勢部材１４５の付勢力に抗して係合部材１４４をタンク装着部９５とは反対側へ押圧する。そして、係合突起９９が傾斜当接面１４４ｂおよび接続曲面１４４ｃから外れて係合部材１４４よりも前面枠３寄り（前面枠本体４寄り）に位置すると、係合部材１４４が付勢部材１４５の付勢力によりタンク装着部９５側へ突出して、係合突起９９およびタンク装着部９５の後方への移動を規制する。この結果、遊技盤５は、収納壁２４と側方当接部１０４との間に位置し、当該遊技盤５の左右方向への移動を収納壁２４および側方当接部１０４により規制される。また、回動された裏機構盤３２は、タンク装着部９５を前面枠本体４の上部の裏側に重合して閉状態となり、動作規制機構３４により閉状態に維持される。遊技盤５を遊技盤収納部２２へ収納するとともに裏機構盤３２を閉状態へ変換し、動作規制機構３４により裏機構盤３２の閉状態を維持したならば、係止部材２６を縦向きに回動して遊技盤５の裏面に係止する。このようにして、遊技盤収納部２２に遊技盤５を収納する作業と裏機構盤３２を閉状態へ変換する作業とを併せて行うことができ、パチンコ遊技機１の組立作業や機種交換作業の作業効率の向上を図ることができる。
【００５６】
ところで、上記実施形態では、装着側押圧部１２５を、タンク装着部９５に設けられた補強部材の一部を延出して装着側押圧部１２５を形成したが、本発明はこれに限定されない。例えば、タンク装着部９５の一部を延出して装着側押圧部を形成してもよい。また、タンク側押圧部１０９を球貯留タンク９１の下部に備えて、タンク側押圧部１０９により遊技盤５の裏面の上部を押圧するように構成したが、本発明はこれに限定されない。要は、裏機構盤３２の閉状態で遊技盤５の裏面を押圧できれば、タンク側押圧部１０９は、どのような構成であってもよい。さらに、遊技盤収納部２２は、遊技盤５を前面枠本体４の裏面側から収納するように構成されたが、本発明はこれに限定されない。要は、遊技盤収納部２２に収納された状態で遊技盤５を装着側押圧部１２５で載置部２３側へ押圧できればよく、例えば、前面枠本体４の側方から収納するように構成してもよいし、前方から収納するように構成してもよい。
【００５７】
上記した実施形態は、代表的な遊技機であるパチンコ遊技機を例に挙げて説明したが、本発明はこれに限らず、前面枠と、該前面枠に収納され、表面に遊技領域が区画形成された遊技盤と、前面枠の裏面側に開閉可能な状態で軸着された裏機構盤とを備えた遊技機であればどのようなものでもよい。例えば、アレンジボール式遊技機、雀球式遊技機等の遊技機であってもよい。
【００５８】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５９】
【図１】パチンコ遊技機の斜視図である。
【図２】外側開閉枠を開いた状態のパチンコ遊技機の斜視図である。
【図３】外側開閉枠および内側開閉枠を開いた状態のパチンコ遊技機の斜視図である。
【図４】内側開閉枠を開いた状態のパチンコ遊技機の断面図である。
【図５】パチンコ遊技機の背面図である。
【図６】（ａ）は裏機構盤の後方から見た斜視図、（ｂ）は前方から見た斜視図である。
【図７】動作規制機構の説明図であり、（ａ）は係合部材を空間部内に引き込んだ状態図、（ｂ）は係合部材をタンク装着部側へ突出した状態図である。
【図８】動作規制機構の断面図であり、（ａ）は係合突起が傾斜当接面に当接する直前の状態図、（ｂ）は係合突起が傾斜当接面に当接している状態図、（ｃ）は係合突起が係合面に当接した状態図である。
【図９】（ａ）は裏機構盤の閉状態における球貯留タンクの位置を説明する部分断面図、（ｂ）は裏機構盤を閉状態とし、球貯留タンクに遊技球を貯留した状態の説明図である。
【図１０】第２実施形態における裏機構盤の説明図であり、（ａ）は前方から見た斜視図、（ｂ）は装着側押圧部および装着側当接部の拡大図である。
【図１１】（ａ）は第２実施形態における裏機構盤に遊技盤を支持する直前の説明図、（ｂ）は裏機構盤に遊技盤を支持した状態の説明図である。
【符号の説明】
【００６０】
１  パチンコ遊技機
３  前面枠
４  前面枠本体
５  遊技盤
６  遊技領域
８  画像表示装置
９  内側開閉枠
９ａ  内側自由端部
１０  外側開閉枠
１０ａ  外側自由端部
１３  球貯留ユニット
２２  遊技盤収納部
２３  載置部
２４  収納壁
２５  位置規制部
２６  係止部材
３２  裏機構盤
３４  動作規制機構
４７  アウト口
５７  表示部
６３  内側ヒンジ機構
６４  球誘導部
６７  開閉体本体
７５  外側ヒンジ機構
９０  機構ベース部
９１  球貯留タンク
９５  タンク装着部
９６  流路装着部
９９  係合突起
１０２  機構盤側支持部
１０３  支持当接部
１０４  側方当接部
１０６  球補給樋
１０７  第１貯留部
１０８  第２貯留部
１０９  タンク側押圧部
１２２  補強部材
１２５  装着側押圧部
１４３  ベース部
１４４  係合部材
１４４ａ  係合面
１４４ｂ  傾斜当接面
１４４ｃ  接続曲面
１４５  付勢部材
１５０  ガイド壁
１５３  係合解除レバー
１５６  装着側当接部
１５７  表面当接片
【図１】
2008272017.tif 000003
【図２】
2008272017.tif 000004
【図３】
2008272017.tif 000005
【図４】
2008272017.tif 000006
【図５】
2008272017.tif 000007
【図６】
2008272017.tif 000008
【図７】
2008272017.tif 000009
【図８】
2008272017.tif 000010
【図９】
2008272017.tif 000011
【図１０】
2008272017.tif 000012
【図１１】
2008272017.tif 000013